(57)【要約】【課題】  収納部材に被収納物を収納することができ、この被収納物などで収納部材が濡れても水はけが良くて衛生的な洗面化粧台を提供する。【解決手段】  洗面化粧台１は、洗面ボール３のボール部４と連通するように平面視で前方から後方側に切込まれた少なくとも一箇所の切込み部６を有する支持台５が、洗面ボールに一体形成されている。洗面用小物１１を収納可能で貫通孔１２が穿設されたトレー１０を支持台５に取付けるとともに、このトレーの貫通孔１２を切込み部６の位置またはその上方に配置している。【選択図】    図２
2005144019.tif 000002
【特許請求の範囲】
【請求項１】
洗面ボールのボール部と連通するように平面視で前方から後方側に切込まれた少なくとも一箇所の切込み部を有する支持台が、前記洗面ボールまたは洗面カウンタに一体形成された洗面化粧台であって、
被収納物を収納可能で排出口が形成された収納部材を前記支持台に取付けるとともに、前記収納部材の前記排出口を前記切込み部の位置またはその上方に配置したことを特徴とする洗面化粧台。
【請求項２】
請求項１に記載の洗面化粧台であって、前記収納部材は全体が一体的に形成されて前記被収納物を載置可能なトレーであり、このトレーには該トレー上の液体を前記排出口に導くための所定形状の溝部が形成されていることを特徴とする洗面化粧台。
【請求項３】
洗面ボールのボール部と連通するように平面視で前方から後方側に切込まれた少なくとも一箇所の切込み部を有する支持台が、前記洗面ボールまたは洗面カウンタに一体形成され、
前記支持台の上面は、前後方向の幅寸法が大きい少なくとも一箇所の幅広の部分と、前記少なくとも一箇所の切込み部を形成したことにより前後方向の幅寸法が小さくなった幅の狭い部分とを有している洗面化粧台であって、
前記支持台には、被収納物を収納可能な収納部材を取付け、
この収納部材は、
前記支持台上面の前記幅広の部分に対応した平面視形状をなして下方に窪み、前記被収納物を収納可能な第１の収納部を構成する少なくとも一つの第１の凹部と、
下方に窪んで前記支持台の前記切込み部に位置し、前記被収納物を収納可能な第２の収納部を構成する少なくとも一つの第２の凹部とを備えていることを特徴とする洗面化粧台。
【請求項４】
請求項３に記載の洗面化粧台であって、前記第１の凹部は、前記支持台上面の前記幅広の部分の上に位置するので底の浅い前記第１の収納部を構成し、前記第２の凹部は、前記切込み部に位置するので底の深い前記第２の収納部を構成していることを特徴とする洗面化粧台。
【請求項５】
請求項１ないし４のいずれかの項に記載の洗面化粧台であって、前記収納部材は前記支持台に着脱自在であることを特徴とする洗面化粧台。
【請求項６】
請求項１ないし５のいずれかの項に記載の洗面化粧台であって、前記洗面ボールとは別個にミラーキャビネットが設置されていることを特徴とする洗面化粧台。
【発明の詳細な説明】
【技術分野】
【０００１】
本発明は、ミラーキャビネットをボールキャビネットとは別個に設置するか、またはミラーキャビネットを有していない構成の洗面化粧台に関する。
【背景技術】
【０００２】
一般的に、洗面カウンタ上部の壁面に木質系の棚を直接取付け、洗面用の小物をこの棚に置くようにしたカウンタタイプの洗面化粧台は存在している。ところが、この洗面化粧台では、濡れた小物を置くと棚が変形する恐れがあり、また、棚には水切り機能が付いていないので不衛生になりがちであった。
特許文献１（特開２００１−１９０４３５号公報）には、洗面カウンタに一体的に物置き棚を取付けた洗面化粧台が記載されている。
また、特許文献２（特開２００１−２９９６０３号公報）には、洗面器（洗面ボール）とは別体で水跳ね防止補助ガードを設け、この水跳ね防止補助ガードが壁面に固定されるとともに小物置きとしての機能も有する洗面化粧台が記載されている。
【特許文献１】特開２００１−１９０４３５号公報
【特許文献２】特開２００１−２９９６０３号公報
【発明の開示】
【発明が解決しようとする課題】
【０００３】
特許文献１，特許文献２に記載された洗面化粧台では、物置き棚や水跳ね防止補助ガードに水切り機能を設けるのはその構造上困難である。そのため、物置き棚や水跳ね防止補助ガードの上部に濡れた洗面用小物などを置くと、水はけが悪いので不衛生になりがちであった。
また、特許文献１の物置き棚は取外しが不可能であり、特許文献２の水跳ね防止補助ガードも壁面から簡単に取外すのは困難であった。そのため、これらの部材が汚れても簡単に取外して清掃することはできなかった。
【０００４】
本発明は、このような課題を解決するためになされたもので、収納部材に被収納物を収納することができ、この被収納物などで収納部材が濡れても水はけが良くて衛生的な洗面化粧台を提供することを目的とする。
また、本発明の他の目的は、被収納物を収納部材から落下することなく収納部に安定した状態で収納することができる洗面化粧台を提供することである。
【課題を解決するための手段】
【０００５】
上述の目的を達成するため、本発明にかかる洗面化粧台は、洗面ボールのボール部と連通するように平面視で前方から後方側に切込まれた少なくとも一箇所の切込み部を有する支持台が、前記洗面ボールまたは洗面カウンタに一体形成された洗面化粧台であって、被収納物を収納可能で排出口が形成された収納部材を前記支持台に取付けるとともに、前記収納部材の前記排出口を前記切込み部の位置またはその上方に配置している。
前記収納部材は全体が一体的に形成されて前記被収納物を載置可能なトレーであり、このトレーには該トレー上の液体を前記排出口に導くための所定形状の溝部が形成されているのが好ましい。
本発明の別の発明にかかる洗面化粧台は、洗面ボールのボール部と連通するように平面視で前方から後方側に切込まれた少なくとも一箇所の切込み部を有する支持台が、前記洗面ボールまたは洗面カウンタに一体形成され、前記支持台の上面は、前後方向の幅寸法が大きい少なくとも一箇所の幅広の部分と、前記少なくとも一箇所の切込み部を形成したことにより前後方向の幅寸法が小さくなった幅の狭い部分とを有している洗面化粧台であって、前記支持台には、被収納物を収納可能な収納部材を取付け、この収納部材は、前記支持台上面の前記幅広の部分に対応した平面視形状をなして下方に窪み、前記被収納物を収納可能な第１の収納部を構成する少なくとも一つの第１の凹部と、下方に窪んで前記支持台の前記切込み部に位置し、前記被収納物を収納可能な第２の収納部を構成する少なくとも一つの第２の凹部とを備えている。
前記第１の凹部は、前記支持台上面の前記幅広の部分の上に位置するので底の浅い前記第１の収納部を構成し、前記第２の凹部は、前記切込み部に位置するので底の深い前記第２の収納部を構成しているのが好ましい。
前記収納部材は前記支持台に着脱自在であるのが好ましい。たとえば、前記洗面化粧台は、前記洗面ボールとは別個にミラーキャビネットが設置されている。
【発明の効果】
【０００６】
本発明の洗面化粧台は、上述のように構成したので収納部材に被収納物を収納することができ、また、収納部材の排出口を洗面ボールの切込み部の位置またはその上方に配置したので、収納部材上の液体は排出口を通って切込み部から洗面ボールに直接流下することになり、被収納物などで収納部材が濡れても水はけが良くて衛生的である。
また、本発明の洗面化粧台の収納部材には、第１の凹部と第２の凹部を形成したので、被収納物を収納部材から落下することなく収納部に安定した状態で収納することができる。
【発明を実施するための最良の形態】
【０００７】
下記の実施例では、支持台に切込み部を設け、排出口が形成された収納部材を支持台に取付け、収納部材の排出口を切込み部の位置またはその上方に配置することにより、収納部材上の液体は、排出口を介して切込み部から洗面ボールに直接流下することになる。これにより、収納部材に被収納物を収納することができ、また、この被収納物などで収納部材が濡れても収納部材は水はけが良くて衛生的である。
【実施例】
【０００８】
以下、本発明にかかる実施例を、図１ないし図４を参照して説明する。
図１ないし図４は本発明の一実施例を示す図で、図１は洗面化粧台の側面図、図２は、図１に示す洗面化粧台の平面図で、図２（Ａ），（Ｂ）は、トレーを取付けた状態と取外した状態をそれぞれ示している。図３は前記トレーの平面図、図４（Ａ），（Ｂ）は、それぞれ図３のＡ−Ａ線断面図，Ｂ−Ｂ線断面図である。
なお、説明の便宜上、図１，図２の矢印Ｄ1，Ｄ2，Ｄ3，Ｄ4を、それぞれ洗面化粧台１の左方，右方，前方，後方として説明する。
【０００９】
図１ないし図４に示すように、洗面化粧台１は、床面上に設置されたボールキャビネット２を有している。この洗面化粧台１は、ミラーキャビネット９を分離して別個に設置したタイプであるが、ミラーキャビネットを有していない場合であってもよい。
ボールキャビネット２には、一つまたは複数の引き出しや扉などが設けられている。洗面ボール３は、ボールキャビネット２の上部に配置されて、ボールキャビネット２により支持されている。
なお、洗面化粧台１には洗面カウンタが設けられていない場合を示しているが、洗面カウンタが洗面ボール３と一体的にまたは別体で設けられたカウンタタイプの洗面化粧台であってもよい。
【００１０】
洗面ボール３は、下方に大きく窪んだボール部４を有し、全体が一体的に形成されている。ボール部４の後方側には、支持台５が上方に延びて一体形成されている。支持台５は、洗面ボール３のボール部４と連通するように、平面視で前方から後方側（矢印Ｄ4側）に切込まれた少なくとも一箇所（ここでは、一箇所）の切込み部６を有している。
切込み部６は、支持台５のほぼ左半分に位置し前方から後方側に窪んだ所定形状に形成された切込み縁部７により形成されたスペースであり、図２（Ｂ）中の鎖線で示す範囲である。
支持台５の上面８は、前後方向の幅寸法Ｗ1が大きい少なくとも一箇所（ここでは、一箇所）の幅広の部分８ａと、少なくとも一箇所（ここでは、一箇所）の幅の狭い部分８ｂとを有している。幅の狭い部分８ｂは、少なくとも一箇所（ここでは、一箇所）の切込み部６を形成したことにより、前後方向の幅寸法Ｗ2が小さくなった部分のことである。
なお、支持台５は、洗面ボール３に一体形成された場合を示しているが、洗面カウンタに一体形成された場合であってもよい。
【００１１】
支持台５には、収納部材としてのトレー１０が着脱自在に取付けられている。トレー１０は、物置用棚としての機能を有し、板材などにより全体が一体的に成形されており、平面視で細長いほぼ矩形状をなしている。
トレー１０は、被収納物としての洗面用小物（たとえば、ハンドソープ，化粧品類，スポンジ）１１を収納可能である。トレー１０には、水切り用の排出口としての貫通孔１２が一つまたは複数（ここでは、二つ）形成されている。貫通孔１２は、切込み部６の位置またはその上方に配置されている。
トレー１０上には液体（たとえば、水，液状洗剤，化粧水）がこぼれることがあるが、トレー１０上にこぼれた液体１４は、貫通孔１２を通って切込み部６からボール部４に直接流下する。このように、トレー１０は水切り機能を有している。
トレー１０には、このトレー１０上の液体を貫通孔１２に導くための所定形状の溝部１３が形成されている。溝部１３は、水はけを良くするために、貫通孔１２のところが一番低くなるように全体的に傾斜している。
【００１２】
なお、切込み部６は、支持台５のほぼ左半分に一箇所形成された場合を示しているが、変形例として、支持台のほぼ右半分に一箇所、支持台の中央部に一箇所、または、支持台の左右に合計二箇所形成された場合などでもよい。
したがって、切込み部６が支持台のほぼ右半分に一箇所の場合には、幅広の部分８ａが左側に一箇所で、幅の狭い部分８ｂが右側に一箇所になる。切込み部６が支持台の中央部に一箇所の場合には、幅広の部分８ａが左右に合計二箇所で、幅の狭い部分８ｂが中央部に一箇所になる。切込み部６が支持台の左右に合計二箇所の場合には、幅広の部分８ａが中央部に一箇所で、幅の狭い部分８ｂが左右に合計二箇所になる。
これらの各種変形例では、収納部材としてのトレーの形状，排出口（たとえば、貫通孔）の位置，数は、支持台の切込み部６の形状，位置，数に対応して決めればよい。
【００１３】
支持台５の上にトレー１０を設けたので、このトレー１０上に洗面用小物１１を置くことができる。従来、ミラーキャビネットが設置されていない場合、洗面周りの小物１１を置いておく場所が洗面ボールや洗面カウンタ以外にはなかったが、トレー１０を設けることで、洗面周りの小物１１を置くスペースができ、洗面化粧台１の使い勝手が良くなる。
また、濡れた洗面用小物１１を置くことでトレー１０が液体で濡れても、トレー１０上の液体１４は、貫通孔１２を通って切込み部６からボール部４に直接流下するので、トレー１０の水はけが良くて衛生的である。
トレー１０は支持台５に着脱自在になっているので、トレー１０が汚れたり濡れたりした場合には、これを支持台５から取外して拭いたり洗ったりすればよい。こうして、トレー１０を簡単に手入れして常に清潔に保つことができ、また、トレー１０上の液体で周りの壁面などを汚す恐れはない。
【００１４】
なお、支持台５に対してトレー１０が移動しないように、支持台５の上面８の形状に対応する係止部を、トレー１０の所定位置（たとえば、周縁部）に一体形成するのが好ましい。このようにすれば、トレー１０を、支持台５に対して位置ずれすることなく安定して保持することができる。
トレー１０の排出口としては二つの貫通孔１２の場合を示したが、貫通孔１２の数は一つまたは三つ以上であってもよく、また、貫通孔１２に代えて網状，格子状などの排出口であってもよい。
これらの各種変形例においても、収納部材上の液体は排出口を通って切込み部６からボール部４に直接流下するので、上述と同じ作用効果を奏する。
【００１５】
トレー１０は、その上面のほぼ全体に形成された平坦部２０と、前方側に位置し左右端部まで全体的に延びて形成され、平坦部２０より若干高さ寸法の高い前方縁部２３とを有している。
さらに、トレー１０は、支持台５の上面８の幅広の部分８ａに対応した平面視形状をなして下方に窪み、洗面用小物１１を収納可能な第１の収納部２４を構成する少なくとも一つ（ここでは、一つ）の第１の凹部２１と、下方に窪んで支持台５の切込み部６に位置し、前記洗面用小物１１を収納可能な第２の収納部２５を構成する少なくとも一つ（ここでは、一つ）の第２の凹部２２とを備えている。
これにより、洗面用小物１１をトレー１０から落下することなく収納部２４，２５に安定した状態で収納することができる。
【００１６】
第１の凹部２１と第２の凹部２２は、それぞれ平坦部２０と一体的に形成されている。第１の凹部２１は、支持台上面８の幅広の部分８ａの上に位置するので、底の浅い第１の収納部２４を構成している。
第２の凹部２２は、支持台５の切込み部６の形状に対応した平面視形状をなしている。第２の凹部２２は、支持台５の切込み部６に位置するので、底の深い第２の収納部２５を構成することができる。
したがって、第１の収納部２４には背の低い洗面用小物１１を収納し、第２の収納部２５には背の高い洗面用小物１１を安定して収納することができる。こうして、洗面用小物１１の種類に応じて、二つの収納部２４，２５を適宜使い分けることができる。
【００１７】
第１の凹部２１と第２の凹部２２の各底面は、ほぼ水平の平面状になっている。第２の凹部２２には、貫通孔１２と溝部１３が形成されている。したがって、たとえば、第１の凹部２１には乾いた洗面用小物１１を収納し、第２の凹部２２には濡れることの多い洗面用小物１１を収納するというように、二つの凹部２１，２２を使い分けることができる。
第２の凹部２２に貫通孔１２と溝部１３を形成したので、第２の凹部２２内の液体１４は、溝部１３を流れて貫通孔１２からボール部４に流れ落ちることになり、第２の凹部２２の水はけが良くなる。第２の凹部２２に溝部１３を形成したので、第２の凹部２２に収納した洗面用小物１１の底部が濡れにくくなる。
【００１８】
収納部材としては、板材などで所定形状に一体成形されたトレー１０の場合を示したが、被収納物を収納可能であれば、断面形状がボックス状（ロ字状），コ字状，Ｈ状，その他の所定形状の収納部材であってもよい。
なお、収納部材に排出口が形成された場合を示しているが、排出口が形成されていない場合であっても、収納部材を支持台５から取り外して手入れすることができる。
洗面化粧台１は、洗面ボール３とは別個にミラーキャビネット９を設置するのが好ましい。このようにすれば、ミラーキャビネット９がミラーの機能と収納の機能を発揮するので、ミラーキャビネット９内にも洗面用小物１１など被収納物を収納することができ、洗面化粧台１全体の収納能力が向上する。
【００１９】
以上、本発明の実施例（変形例を含む）を説明したが、本発明は、上述の実施例に限定されるものではなく、本発明の要旨の範囲で種々の変形，付加などが可能である。
なお、各図中同一符号は同一または相当部分を示す。
【産業上の利用可能性】
【００２０】
本発明は、ミラーキャビネットを別個に設置するか、またはミラーキャビネットを有していない洗面化粧台に適用可能である。
【図面の簡単な説明】
【００２１】
【図１】図１ないし図４は本発明の一実施例を示す図で、図１は洗面化粧台の側面図である。
【図２】図１に示す洗面化粧台の平面図で、図２（Ａ），（Ｂ）は、トレーを取付けた状態と取外した状態をそれぞれ示している。
【図３】前記トレーの平面図である。
【図４】図４（Ａ），（Ｂ）は、それぞれ図３のＡ−Ａ線断面図，Ｂ−Ｂ線断面図である。
【符号の説明】
【００２２】
１    洗面化粧台
３    洗面ボール
４    ボール部
５    支持台
６    切込み部
８    支持台の上面
８ａ  幅広の部分
８ｂ  幅の狭い部分
９    ミラーキャビネット
１０  トレー（収納部材）
１１  洗面用小物（被収納物）
１２  貫通孔（排出口）
１３  溝部
１４  液体
２１  第１の凹部
２２  第２の凹部
２４  第１の収納部
２５  第２の収納部
Ｗ1，Ｗ2  前後方向の幅寸法
【図１】
2005144019.tif 000003
【図２】
2005144019.tif 000004
【図３】
2005144019.tif 000005
【図４】
2005144019.tif 000006